【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
表示装置、ＣＰＵ、メモリ、及び入力手段を有する情報処理装置本体であって、
前記情報処理装置本体は、該情報処理装置本体と該情報処理装置本体の外部に接続されるI/O機器とを直接接続する情報処置装置本体側ドッキングコネクタを有し、
前記情報処理装置側ドッキングコネクタ及び前記I/O機器が有するI/O機器側ドッキングコネクタとを介して、前記I/O機器と電力を受送電及び信号を受送信することを特徴とする情報処理装置本体。
【請求項２】
請求項１記載の情報処理装置本体であって、
前記情報処理装置側ドッキングコネクタを介して受送電される電力を蓄えるバッテリを有することを特徴とする情報処理装置本体。
【請求項３】
請求項１記載の情報処理装置本体であって、
前記I/O機器の外部から供給される電力及び受送信される信号を、該I/O機器及び前記情報処理装置側ドッキングコネクタを介して受送電あるいは受送信することを特徴とする情報処理装置本体。
【請求項４】
請求項１記載の情報処理装置本体であって、
前記情報処理装置本体は、前記I/O機器と接続する際に、前記情報処理装置本体が予め定められた位置で該I/O機器に接続されるための情報処理装置本体側位置決め手段を有し、
前記情報処理装置側位置決め手段と前記I/O機器が有するI/O機器側位置決め手段、前記情報処理装置側ドッキングコネクタと前記I/O機器側ドッキングコネクタが接触し、該情報処理装置本体が支持されることで前記I/O機器と直接接続される位置が決定することを特徴とする情報処理装置本体。
【請求項５】
請求項２記載の情報処理装置本体であって、
前記情報処理装置本体は、他のI/O機器が接続される他のコネクタをさらに有し、
前記他のコネクタを介して、前記他のI/O機器に前記バッテリに蓄えられた電力を供給及び信号を送受信することを特徴とする情報処理装置本体。
【請求項６】
請求項５記載の情報処理装置本体であって、
前記情報処理装置は、前記I/O機器と着脱可能に接続され、
前記I/O機器が接続されている場合には、前記情報処理装置側ドッキングコネクタを介して受送電される電力を優先的に使用し、前記他のI/O機器に電力を供給し、前記I/O機器が接続されていない場合には、前記バッテリに蓄えられている電力を使用し、前記他のI/O機器に電力を供給することを特徴とする情報処理装置本体。
【請求項７】
請求項２記載の情報処理装置本体であって、
前記情報処理装置側ドッキングコネクタには、該情報処理装置側ドッキングコネクタに接続可能な前記I/O機器と異なる他のI/O機器が接続され、
該他のI/O機器に、前記情報処理装置側ドッキングコネクタを介して、前記バッテリに蓄えられた電力を供給及び信号を送受信することを特徴とする情報処理装置本体。
【請求項８】
請求項２記載の情報処理装置本体であって、
他のI/O機器が接続される他のコネクタをさらに有し、
前記情報処理装置側ドッキングコネクタ及び前記他のコネクタを介して、前記他のI/O機器または前記情報処理装置側ドッキングコネクタに接続可能な前記I/O機器と異なる他のI/O機器に、前記バッテリに蓄えられた電力を供給及び信号を送受信することを特徴とする情報処理装置本体。
【請求項９】
表示装置、ＣＰＵ、メモリ、及び入力手段を有する情報処理装置本体に接続されるI/O機器であって、
前記I/O機器は、該情報処理装置本体と直接接続されるI/O機器側ドッキングコネクタを有し、
前記情報処理装置本体が有する情報処置装置本体側ドッキングコネクタ及び前記I/O機器側ドッキングコネクタを介して、前記情報処理装置本体と電力を受送電及び信号を受送信することを特徴とするI/O機器。
【請求項１０】
請求項９記載のI/O機器であって、
前記I/O機器の外部から供給される電力及び受送信される信号を、該I/O機器側ドッキングコネクタ及び前記情報処理装置側ドッキングコネクタを介して、前記情報処理装置本体へ受送電あるいは受送信することを特徴とするI/O機器。
【請求項１１】
請求項９記載のI/O機器であって、
前記I/O機器は、前記情報処理装置本体と接続する際に、前記情報処理装置本体が予め定められた位置で該I/O機器に接続されるためのI/O機器側位置決め手段を有し、
情報処理装置本体が有する情報処理装置側位置決め手段と前記I/O機器側位置決め手段、
前記情報処理装置側ドッキングコネクタと前記I/O機器側ドッキングコネクタが接触し、該情報処理装置本体が支持されることで前記I/O機器と直接接続される位置が決定することを特徴とするI/O機器。
【請求項１２】
表示装置、ＣＰＵ、メモリ、及び入力手段を有する情報処理装置であって、
電力を受電する第１の電力用端子と、
電力を受電する第２の電力用端子と、当該情報処理装置の外部に接続されるI/O機器と信号を送受信可能な信号用端子とを有するコネクタと、
前記第１あるいは第２の電力用端子を介して受電した電力を蓄えるバッテリと、
前記受電した電力を特定の電圧とした後、前記表示装置、ＣＰＵ、メモリ、及び入力手段のいずれかに給電する電源制御部とを有することを特徴とする情報処理装置。
【請求項１３】
請求項１２記載の情報処理装置であって、
前記電源制御部は、前記第１あるいは第２の電力用端子を介して受電し前記バッテリに充電した電力を特定の電圧とした後、前記表示装置、ＣＰＵ、メモリ、及び入力手段のいずれかに給電することを特徴とする情報処理装置。
【請求項１４】
表示装置、ＣＰＵ、メモリ、及び入力手段を有する情報処理装置本体であって、
前記情報処理装置本体は、該情報処理装置本体と該情報処理装置本体の外部に接続される第1のI/O機器とを直接接続するコネクタと、
前記コネクタを介して受送電される電力を蓄えるバッテリとを有し、
当該情報処理装置本体は、前記コネクタを介して、前記第1のI/O機器と前記バッテリに蓄えられた電力を受送電及び信号を受送信可能であり、
さらに、
前記コネクタに接続可能な第2のI/O機器に、前記コネクタを介して、前記第2のI/O機器と
前記バッテリに蓄えられた電力を受送電及び信号を受送信可能であることを特徴とする情報処理装置本体。
【請求項１５】
請求項１４記載の情報処理装置本体であって、
前記バッテリに接続された電源制御部をさらに有し、
前記電源制御部により、前記コネクタを介して受電する電力あるいはバッテリに蓄えられた電力を特定の電圧とした後、前記第2のI/O機器に送電することを特徴とする情報処理装置本体。
【請求項１６】
請求項１記載の情報処理装置本体であって、
前記コネクタを介して第1の電圧で受電し、
前記コネクタを介して、第2の電圧で前記第2のI/O機器に送電することを特徴とする情報処理装置本体。
【請求項１７】
請求項１６記載の情報処理装置本体であって、
前記第1の電圧と前記第2の電圧は異なる電圧であることを特徴とする情報処理装置本体。
【請求項１８】
表示装置、ＣＰＵ、メモリ、及び入力手段を有する情報処理装置本体であって、
前記情報処理装置本体は、該情報処理装置本体と該情報処理装置本体の外部に接続されるI/O機器とを直接接続するコネクタと、
前記コネクタを介して受送電される電力を蓄えるバッテリとを有し、
当該情報処理装置本体は、前記コネクタを介して、前記I/O機器と前記バッテリに蓄えられた電力を受送電及び信号を受送信可能であることを特徴とする情報処理装置本体。